(57)【要約】      （修正有）【課題】袋体の充填物が、酸化せず、長期の使用に耐え、かつ充填物の効果が長期に期待できこと、又は水溶性珪素の充填と廃棄とを利用することで、再利用可能で、かつ携帯可能とした、利便性と効果を満喫できる冷温治療具を提供する。【解決手段】袋体でなる萎んだパッドと、萎んだパッドに充填した吸水性樹脂３と、この吸水性樹脂充填の萎んだパッド１に、充填する水溶性珪素５で構成し、吸水性樹脂３をジェル化し、萎んだパッドを、膜状のパッド１とした冷温治療具である。【選択図】図５−３
2014046126.tif 000002
【特許請求の範囲】
【請求項１】
袋体でなる萎んだパッドと、この萎んだパッドに充填した吸水性樹脂と、この吸水性樹脂充填の前記萎んだパッドに、充填する水溶性珪素で構成し、
前記吸水性樹脂をジェル化し、前記萎んだパッドを、膜状のパッドとしたことを特徴とする冷温治療具。
【請求項２】
請求項１に記載の冷温治療具において、
前記吸水性樹脂は、前記水溶性珪素を含んで、透明化、並びに膨出する構成としたことを特徴とする冷温治療具。
【請求項３】
請求項１に記載の冷温治療具において、
前記袋体には、表裏面の貼着部を、複数個設ける構成としたことを特徴とする冷温治療具。
【請求項４】
請求項１に記載の冷温治療具において、
前記吸水性樹脂を、袋体に５ｇ入れ、水溶性珪素を、２０００ｃｃ添加し、この水溶性樹脂を、ジェル化する構成としたことを特徴とする冷温治療具。
【請求項５】
請求項１に記載の冷温治療具において、
前記袋体の長手方向の一側面に、Ｕ形の切込部を備え、人の肩部使用時の首部、腹部使用時の股間、又は臍部等の如く、使用時の簡便性、又は身体の臍、恥部等の望まれない箇所への悪影響の回避する構成としたことを特徴とする冷温治療具。
【請求項６】
請求項１に記載の冷温治療具において、
前記袋体の色を、白色と、赤色、橙(だいだい)色、黄色、緑色、青色、藍(あい)色、紫色の虹色でなる八色とし、この各色の特性を発揮し、カラー療法（色欠乏解消）を図る構成としたことを特徴とする冷温治療具。
【発明の詳細な説明】
【技術分野】
【０００１】
本発明は、冷温治療具であり、袋体の充填物が、酸化せず、長期の使用に耐え、かつ充填物の効果が長期に期待できこと、又は水溶性珪素の充填と廃棄とを利用することで、再利用可能で、かつ携帯可能とした、利便性と効果を満喫できる冷温治療具に関する。
【背景技術】
【０００２】
従来、この種の冷温治療具（冷温治療パッド）は、種々の物が市販されるとともに、出願されている。そして、市販では、袋体に、黄土を主成分とし、さらにマイナスイオンを大量に発生させるトルマリンと遠赤外線を放出する麦飯石の素粒子を充填したサンドパック（商品名）がある。このサンドパックは、充填物の遠赤黄土等の酵素の働きで、細胞の活性化と、遠赤黄土が撥水、遠赤外線の身体浸透性を利用し、成人病の治療と、予防等を図る冷温治療具である。しかしながら、水溶性珪素と吸水性樹脂（吸湿性樹脂）との構造でなく、酸化防止効果が期待できない。また、珪素の特性である。例えば、血管・免疫性強化、老化防止、細胞内共生生物（ミトコンドリア）増大・強化、浸透性確保、或いは活性酵素除去、静菌性、又はデトックス効果等は期待できない。即ち、身体を健康に維持し、かつ人の成育に必要とする、全ての要素を、満足するには、十分でない。さらに、吸水性樹脂に、水溶性珪素を添加することで、この吸水性樹脂の膨張、ジェル化、並びに透明性等を図るには、構造上困難である。
【０００３】
また、文献では、ゲルマニュウム、シリコン等の元素と、リン、鉛等の元素を少量含んだ半導体を塗着した治療冶具として特開２００８−３４４号公報の発明（文献（１））、ラジウムを含む粉体を、袋体に充填した構造であり、ラジウム治療具として、特開２００４−１４７８１０号公報の発明（文献（２））、又はゴム基材に、遠赤外線等の光線を放射する鉱物、岩石の粉末を練り込んだ構造の治療器として、特開２０１０−３６００１号公報の発明（文献（３））、或いは、有機導体ゲルでなる構造で、マイクロ波照射により肌を加温治療することと、肌に馴染み易いこと等の特徴とした肌塗用保温材及び肌貼用保温材であり、特開２００３−５２７３３号公報の発明（文献（４））がある。しかしながら、この文献（１）〜文献（４）においては、本発明が目的とする。次のことは期待できない。即ち、「イ」  水溶性珪素と遠赤外線の浸透力による治療と、カラー療法を併用することで、治療の有効性を図る。「ロ」  構造面では、切欠部（括れ部）を形成することで、首、股部、又は尻部への装着の容易化と、治療効果の確実化、並びに人体への悪影響を回避できことと、安心して使用できる。さらに、珪素が含まれていることで、酸化防止に有効である。「ハ」  軽量であり、持運びと、詰替えもできる。
【０００４】
【特許文献１】特開２００８−３４４号公報
【特許文献２】特開２００４−１４７８１０号公報
【特許文献３】特開２０１０−３６００１号公報
【特許文献４】特開２００３−５２７３３号公報
【発明の概要】
【発明が解決しようとする課題】
【０００５】
前述した如く、市販の製品、並びに文献（１）〜文献（４）においては、前述した課題があることに鑑み、本発明は、前述した目的を達成する。
「イ」  水溶性珪素と遠赤外線の浸透力による治療と、カラー療法を併用することで、治療の有効性を図る。
「ロ」  構造面では、切欠部（括れ部）を形成することで、首、股部、又は尻部への装着の容易化と、治療効果の確実化、並びに人体への悪影響を回避できことと、安心して使用できる。さらに、珪素が含まれていることで、酸化防止に有効である。
「ハ」  軽量であり、持運びと、詰替えもできる。
「ニ」  珪素（水晶、シリコンの３２６７８Ｈｚの波動）の特性により、例えば、血管・免疫性強化、老化防止、細胞内共生生物（ミトコンドリア）増大・強化、浸透性確保、或いは活性酵素除去、静菌性、又はデトックス効果等を達成し、もって身体を健康に維持し、かつ人の成育に必要とする、全ての要素を、満足できる。
「ホ」  さらに、吸水性樹脂に、水溶性珪素を添加することで、この吸水性樹脂の膨張、ジェル化、並びに透明性等が図れる。
【課題を解決するための手段】
【０００６】
請求項１は、袋体でなる萎んだパッドと、この萎んだパッドに充填した吸水性樹脂と、この吸水性樹脂充填の前記萎んだパッドに、充填する水溶性珪素で構成し、
前記吸水性樹脂をジェル化し、前記萎んだパッドを、膜状のパッドとしたことを特徴とする冷温治療具である。
【０００７】
また、請求項２は、請求項１に記載の冷温治療具において、
前記吸水性樹脂は、前記水溶性珪素を含んで、透明化、並びに膨出する構成としたことを特徴とする冷温治療具である。
【０００８】
請求項３は、請求項１に記載の冷温治療具において、
前記袋体には、表裏面の貼着部を、複数個設ける構成としたことを特徴とする冷温治療具である。
【０００９】
請求項４は、請求項１に記載の冷温治療具において、
前記吸水性樹脂を、袋体に５ｇ入れ、水溶性珪素を、２０００ｃｃ添加し、この水溶性樹脂を、ジェル化する構成としたことを特徴とする冷温治療具である。
【００１０】
請求項５は、請求項１に記載の冷温治療具において、
前記袋体の長手方向の一側面に、Ｕ形の切込部を備え、人の肩部使用時の首部、腹部使用時の股間、又は臍部等の如く、使用時の簡便性、又は身体の臍、恥部等の望まれない箇所への悪影響の回避する構成としたことを特徴とする冷温治療具である。
【００１１】
請求項６は、請求項１に記載の冷温治療具において、
前記袋体の色を、白色と、赤色、橙（だいだい）色、黄色、緑色、青色、藍（あい）色、紫色の虹色でなる八色とし、この各色の特性を発揮し、カラー療法（色欠乏解消）を図る構成としたことを特徴とする冷温治療具である。
【発明の効果】
【００１２】
請求項１の発明は、袋体でなる萎んだパッドと、萎んだパッドに充填した吸水性樹脂と、この吸水性樹脂充填の萎んだパッドに、充填する水溶性珪素で構成し、
吸水性樹脂をジェル化し、萎んだパッドを、膜状のパッドとしたことを特徴とする冷温治療具である。
【００１３】
従って、請求項１では、前述の「イ」と、「ハ」〜「ニ」を達成できる。但し、カラー療法は、請求項６との併用となる。
【００１４】
また、請求項２の発明は、請求項１に記載の冷温治療具において、
吸水性樹脂は、水溶性珪素を含んで、透明化、並びに膨出する構成としたことを特徴とする冷温治療具である。
【００１５】
従って、請求項２では、前述の「イ」と、「ハ」〜「ホ」を達成できる。但し、カラー療法は、請求項６との併用となる。
【００１６】
請求項３の発明は、請求項１に記載の冷温治療具において、
袋体には、表裏面の貼着部を、複数個設ける構成としたことを特徴とする冷温治療具である。
【００１７】
従って、請求項３では、前述の「イ」と、「ハ」〜「ニ」を達成できる。但し、カラー療法は、請求項６との併用となる。また、この請求項３では、「ヘ」  袋体のジェル化のみだらな偏倚を回避できる。
【００１８】
請求項４の発明は、請求項１に記載の冷温治療具において、
吸水性樹脂を、袋体に５ｇ入れ、水溶性珪素を、２０００ｃｃ添加し、この水溶性樹脂を、ジェル化する構成としたことを特徴とする冷温治療具である。
【００１９】
従って、請求項４では、前述の「イ」と、「ハ」〜「ニ」を達成できる。但し、カラー療法は、請求項６との併用となる。
【００２０】
請求項５は、請求項１に記載の冷温治療具において、
前記袋体の長手方向の一側面に、Ｕ形の切込部を備え、人の肩部使用時の首部、腹部使用時の股間、又は臍部等の如く、使用時の簡便性、又は身体の臍、恥部等の望まれない箇所への悪影響の回避する構成としたことを特徴とする冷温治療具である。
【００２１】
従って、請求項３では、前述の「ロ」を達成できる。但し、カラー療法は、請求項６との併用となる。
【００２２】
請求項６の発明は、請求項１に記載の冷温治療具において、
袋体の色を、白色と、赤色、橙（だいだい）色、黄色、緑色、青色、藍（あい）色、紫色の虹色でなる八色とし、この各色の特性を発揮し、カラー療法（色欠乏解消）を図る構成としたことを特徴とする冷温治療具である。
【００２３】
従って、請求項６では、前述の「イ」と、「ハ」〜「ニ」を達成できる。
【図面の簡単な説明】
【００２４】
【図１】冷温治療具の平面図
【図２】冷温治療具の裏面図
【図３】冷温治療具の正面図
【図４】冷温治療具の断面図
【図５−１】冷温治療具の袋体に、吸水性樹脂を充填した状態を示した一部欠截の平面図
【図５−２】図５−１の一部欠截をなくした側面図
【図５−３】冷温治療具の袋体に、吸水性樹脂を充填し、水溶性珪素を注入する（充填する）状態を示した一部欠截の平面図
【図５−４】図５−３の一部欠截をなくした側面図
【図６−１】冷温治療具の使用状態の一例を示したものであり、首の周りから一方の肩に載置した模式図
【図６−２】冷温治療具の使用状態の一例を示したものであり、首の周りから双方の肩に載置した模式図
【図６−３】冷温治療具の使用状態の一例を示したものであり、首の周りから背中に亙って載置した模式図
【図６−４】冷温治療具の使用状態の一例を示したものであり、首の周りに添設して設けた模式図
【図６−５】冷温治療具の使用状態の一例を示したものであり、臀部に載置した模式図
【図６−６】冷温治療具の使用状態の一例を示したものであり、臀部と腹部を巻くように設けた模式図
【図６−７】冷温治療具の使用状態の一例を示したものであり、腹部に載置した模式図
【図６−８】冷温治療具の使用状態の一例を示したものであり、股間部に載置した模式図
【図６−９】冷温治療具の使用状態の一例を示したものであり、この冷温治療具に両足を載置し、起立等した模式図
【図７】冷温治療具をカラー治療に使用して利用することで、その色による効果・効能と、この効果等が機能する臓器、身体部位と、病名の一例を示した図
【発明を実施するための形態】
【００２５】
１は冷温治療具の袋体（パッド）で、この袋体１は表裏面１００、１０１を備え、かつこの表裏面１００、１０１の周辺部を縫合、又は溶着し、密封性が確保されている。そして、この表裏面１００、１０１には、複数個の貼着部２を設けることで、この袋体１に充填する吸水性樹脂３、及び／又は、水溶性珪素５の偏り（偏倚による袋体１の凹凸「窪みと山部」）回避を図ること、又は使用時の不快、又は事故を回避する。
【００２６】
この袋体１の長手方向Ｘ（略３５ｃｍ〜略４０ｃｍ）の一側面１ａから他側面１ｂに到る切欠部６が形成されており、この切欠部６（切欠部の幅が、略１７ｃｍ〜略１８．５ｃｍで、奥行きが、略１４ｃｍ〜略１６．５ｃｍ）は、短手方向Ｙ（略２８ｃｍ〜略３２ｃｍ）のセンタより他側面１ｂに到る構造とする。そして、この切欠部６は、図６−１〜図６−３においては、首部Ｈ１の周辺が入る隙間として利用し、例えば、人Ｈの肩部Ｈ２への冷温治療具の載置を確保するか、又は治療効果を図る。また、図６−２の如く、対での載置を確保する。さらに、図６−３の如く、背中Ｈ３への載置を確保する。その他として、図６−５〜図６−８の如く、臍Ｈ４、又は恥部Ｈ５のように、治療に必要としない、換言すると、望まない箇所への冷温を付与することを回避し、安全で、かつ快適な使用を図る。以上は一例であり、種々の使用と、また、望まない箇所への冷温付与を、確実に回避し、不快感の解消と健全な使用を図る。また、この切欠部６は、図示の如く、端部が広く、センタに向かって狭くなった尖頭形状とする。この切欠部６の表裏面１００、１０１の形状は、全く同じとすることで、切欠部６の形状の安定性と、縫合、又は溶着の容易化、首部Ｈ１への違和感と抵抗回避に有効である。図６−９では、冷温治療具に両足Ｈ６の載置した一例を示している。
【００２７】
図中７は注入口８の栓である。
【００２８】
続いて、冷温治療具を作成する方法の一例を、図５−１〜図５−４をもとに説明すると、袋体１が萎んだパッド１−１の状態では、この萎んだパッド１−１には、例えば、５ｇ〜１０ｇの吸水性樹脂３を充填する。この充填時には、吸水性樹脂３は、縮んだ状態で、図５−１である。図５−２の如く、扁平である。その後、使用する際には、水溶性珪素５を注入口８より、例えば、２０００ｃｃ〜３０００ｃｃを注入する。この注入した後に、栓７をし、数分待つことで、吸水性樹脂３が膨張かつ軟弱化し、この吸水性樹脂３は、ジェル化する。この状態を図５−３に示すとともに、図５−４の如く、袋１は膨らみを持ち、膜状（扁平袋状）のパッド１−２となり略２ｃｍ〜略３．５ｃｍ程度となる。同時に、ジェル化（ゲル化）に伴って、クッション性と軟弱性が確保できるので、使用の際の違和感解消と、怪我の解消、また、マッサージ効能と、さらに快適な使用が達成できる。
【００２９】
尚、水溶性珪素５を所定量充填することで、前述した、「ニ」  珪素の特性である。例えば、血管・免疫性強化、老化防止、細胞内共生生物（ミトコンドリア）増大・強化、浸透性確保、或いは活性酵素除去、静菌性、又はデトックス効果等を達成し、もって身体を健康に維持し、かつ人の成育に必要とする、全ての要素を、満足できる。
【００３０】
また、この冷温治療具をカラー化することで「白色と、赤色、橙色、黄色、緑色、青色、藍色、紫色の虹色でなる八色とし、この各色の特性を発揮し、カラー療法（色欠乏解消）」、図７示した如く、カラー療法の効果と効能（病気の回復と予防等）が期待できる。このカラー療法の効果等を発揮するには、冷温治療具に付した色が発生する特性と、図７に示した人Ｈのそれぞれの臓器、身体部位と、又は悪影響が発生しない箇所に、セットすることが基本である。この効果等を発揮するために、白色と、赤色、橙色、黄色、緑色、青色、藍色、紫色の虹色でなる八色を、セットで販売することも特徴であり、かつ本発明の有効性を担持できる。
【００３１】
前述した各構造と、各実施例は、本発明の好ましい一例であるので、上述した各実施例に限定されない。そして、発明の趣旨の範囲において構成の一部を変更する構造とか、同じ特徴と効果を達成できる構造、等は、本発明の範疇である。
【符号の説明】
【００３２】
１            袋体
１−１        萎んだパッド
１−２        膜状のパッド
１ａ          一側面
１ｂ          他側面
１００        表面
１０１        裏面
２            貼着部
３            吸水性樹脂
５            水溶性珪素
６            切欠部
７            栓
８            注入口
Ｈ            人
Ｈ１          首部
Ｈ２          肩部
Ｈ３          背中
Ｈ４          臍
Ｈ５          恥部
Ｈ６          両足
Ｘ            長手方向
Ｙ            短手方向
【図１】
2014046126.tif 000003
【図２】
2014046126.tif 000004
【図３】
2014046126.tif 000005
【図４】
2014046126.tif 000006
【図５−１】
2014046126.tif 000007
【図５−２】
2014046126.tif 000008
【図５−３】
2014046126.tif 000009
【図５−４】
2014046126.tif 000010
【図６−１】
2014046126.tif 000011
【図６−２】
2014046126.tif 000012
【図６−３】
2014046126.tif 000013
【図６−４】
2014046126.tif 000014
【図６−５】
2014046126.tif 000015
【図６−６】
2014046126.tif 000016
【図６−７】
2014046126.tif 000017
【図６−８】
2014046126.tif 000018
【図６−９】
2014046126.tif 000019
【図７】
2014046126.tif 000020